(57)【要約】【課題】確実に整流することのできるリアスポイラーを提供することを目的とする。【解決手段】リアスポイラー10は、鞍乗り型車両１のシート８の後部に配置されるスポイラー本体24を備える。前記スポイラー本体24は、前記スポイラー本体の左右に配置されるスポイラー部22と、前記スポイラー部22を前記シート８上面より上方に保持する保持部23とを備え、前記スポイラー部22に肘掛面21を設けたことを特徴とする。【選択図】図１
2008168716.tif 000002
【特許請求の範囲】
【請求項１】
鞍乗り型車両のシート後部に配置されるリアスポイラーにおいて、
前記鞍乗り型車両の左右に配置されるスポイラー部と、
前記スポイラー部を前記シート上面より上方に保持する保持部とを備え、
前記スポイラー部に肘掛面を設けたことを特徴とするリアスポイラー。
【請求項２】
前記肘掛面は、前方へ傾倒してなり、被覆部材で覆われていることを特徴とする請求項１記載のリアスポイラー。
【発明の詳細な説明】
【技術分野】
【０００１】
本発明は、リアスポイラーに関し、特に、鞍乗り型車両に好適に用いられるリアスポイラーに関するものである。
【背景技術】
【０００２】
従来、走行時に前方から後方へ流れる空気を整流するため、後部にリアスポイラーを備えた鞍乗り型車両、例えばスクータ型自動二輪車が知られている（例えば特許文献１）。上記特許文献１には、車両後部に、テールランプ兼ストップランプやウィンカランプ等を内臓したランプユニットを嵌めこんだリアカバーを備え、該リアカバーの後部上方にシートの後部を後から囲むようにして設けられたリアスポイラーが記載されている。
【特許文献１】特許第３２８９７８２号公報
【発明の開示】
【発明が解決しようとする課題】
【０００３】
しかしながら、上記した特許文献１においても、リアスポイラーがシートの後部を後から囲むようにして設けられており、リアカバーの直ぐ近くにリアスポイラーが配置されることになるので、リアスポイラーがリアカバーの表面などの車両表面を流れる空気の影響を受け易いという懸念があった。
【０００４】
そこで、本発明は上記した問題点に鑑み、リアカバーからの影響を受けずに整流することのできるリアスポイラーを提供することを目的とする。
【課題を解決するための手段】
【０００５】
上記目的を達成するために、請求項１に係る発明は、鞍乗り型車両のシート後部に配置されるリアスポイラーにおいて、前記鞍乗り型車両の左右に配置されるスポイラー部と、前記スポイラー部を前記シート上面より上方に保持する保持部とを備え、前記スポイラー部に肘掛面を設けたことを特徴とする。
【０００６】
また、請求項２に係る発明は、前記肘掛面は、前方へ傾倒してなり、被覆部材で覆われていることを特徴とする。
【発明の効果】
【０００７】
本発明の請求項１記載のリアスポイラーによれば、保持部でスポイラー部をシート上方に保持することとしたことにより、車両の表面に生じた乱流の影響を受けずに確実に整流することができる。
【０００８】
また、請求項２に記載のリアスポイラーによれば、乗員が肘掛面に肘をついた際の接触感を向上することができる。
【発明を実施するための最良の形態】
【０００９】
以下図面を参照して、本発明の好適な実施形態について説明する。
【００１０】
図１に示す鞍乗り型車両としてのスクータ型自動二輪車１（以下、車両１という）は、車体フレーム（図示しない）、フロントカバー２、リアカバー３、ハンドル４、前輪５、パワーユニット６、後輪７、シート８及びリアスポイラー10を備え、シート８に搭乗した乗員がハンドル４を操舵して操作し得るように構成されている。
【００１１】
すなわち、車体フレームは、フロントカバー２とリアカバー３とで覆われており、車体フレームの前部にはハンドル４で操舵される前輪５を有し、中央部付近にて上下方向に揺動自在に支持されたパワーユニット６を備え、前記パワーユニット６の出力軸に後輪７が一体に嵌着されている。フロントカバー２には、シート８に搭乗した乗員の風除けとなるフロントシールド11が設けられている。また、ハンドル４には、車両１の幅方向に突出したサイドミラー12が左右一対設けられている。パワーユニット６の上方には、車体フレームに固設されたシートフレーム（図示しない）にシート８が取り付けられている。シート８は、ライダーシート8Rとパッセンジャーシート8Pとが縦列されてなる。フロントカバー２の裏面側とシート８との間には、ライダーシート8Rに搭乗した乗員が両足を置くためのフットレスト12が進行方向に対し左右一対設けられている。また、リアカバー３には、後端にテールランプやウィンカランプなどからなるランプユニット13が嵌合されているとともに、パッセンジャーシート8P近傍にグラブレール14が設けられている。従って、グラブレール14は、リアスポイラー10よりも前方側であって、車両１の表面に近接した位置に配置固定されている。
【００１２】
リアスポイラー10は、走行中の車両１の脇を流れる空気を整流し得るように車両１の後端に配置され、シートフレームに固定されている。本実施形態では、図２に示すようにリアスポイラー10は、肘掛面21を備えたスポイラー部22と、保持部23とを有するスポイラー本体24を備え、保持部23がスポイラー部22をシート８上方に保持し得るように構成されている。
【００１３】
さらに、スポイラー本体24は、バックレスト25を備え、パッセンジャーシート8Pに搭乗した乗員を後方から支え得るように構成される。また、スポイラー本体24は、アンプ（図示しない）、スピーカ26及び重低音再生用スピーカとしてのウーファー27（Ｗｏｏｆｅｒ）からなる音響装置を備え、乗員に楽曲などを提供し得るように構成される。
【００１４】
スポイラー本体下部たる保持部23は、車両１の中央から鉛直方向に延びる単体の中空の柱状部材からなり、一端はシートフレームに固定され、他端はスポイラー本体上部たる翼部28に連通されてなる。保持部23は、外形が滑らかな形状をなし、一端及び他端は山裾のように広がって車両１の後端及び翼部28と繋がると共に、中央付近は細いくびれを有してなる。翼部28には、スポイラー部が一体的に設けられている。これにより、保持部23は、シート８の上方であって、パッセンジャーシート8Pに搭乗した乗員の肘の高さ程度の高さにスポイラー部22を保持し得る。
【００１５】
図３に示すように、翼部28は、車両１の幅方向に延びる中空の板状部材からなり、中央にバックレスト25を備えると共に、両側端にスポイラー部22が形成されている。スポイラー部22は、バックレスト25を挟んで左右一対設けられており、先端22F,22Fがバックレスト25よりも車両１の前方側へ突出してなる。
【００１６】
翼部28は、平面視において、車両１の前方側に対して凹となる緩やかな湾曲形状からなる湾曲面28Aを備え、同様の湾曲形状を有するバックレスト25が前記湾曲面28Aに当接して設けられている。また、翼部28は、上方に指向したスピーカ用窓31を有し、前記スピーカ用窓31内にスピーカ26,26が内蔵されている。スピーカ用窓31は、前記バックレスト25を背後から囲むように湾曲面28Aに連接して翼部28全長に亘って設けられ、ガード部材32で覆われている。因みにガード部材32は、種々のものが考えられるが、例えば、表面が網状のものや、格子状のものが好適に用いられる。
【００１７】
前記スピーカ26,26は、スポイラー本体24の中央左右に離れて配置され、上方に指向する開口を有し、ガード部材32を通過してスポイラー本体24の上方へ楽曲などが伝わるように構成される。本実施形態では、スピーカ26,26は、左右一対として設けられ、振動体をほぼ上方へ向けて翼部28に取り付けられている。
【００１８】
図４に示すように、スポイラー部22は、車両１前方へいくに従って下方へ傾斜するように設置されている。従って、側面視において、スポイラー部22とバックレスト25とは、Ｘ字状に交差するように配置される。また、スポイラー部22は、下方に膨出した凸部35を下面に有し、車両１の前方側が厚く、後方側が薄くなるように形成されている。
【００１９】
また、スポイラー部22は、上面に、表面が平坦な肘掛面21を備えており、パッセンジャーシート8Pに搭乗した乗員の肘を支え得るように構成されている。前記肘掛面21は、クッション性を有する被覆部材36で覆われてなる。肘掛面21は、スポイラー部22の上面、すなわち肘掛面21と、スポイラー部22の下面を被覆部材36で覆い、走行時などにおける風圧によって変形しないように構成されている。また、被覆部材36は、触り心地がよく、滑りにくい表面を有するのが好ましい。本実施の形態では、被覆部材36は、人工皮革で構成されている。
【００２０】
尚、スポイラー部22の肘掛面21以外の部分を覆う被覆部材36は、クッション性を備えていなくてもよいことはもちろんである。このようにスポイラー部22を構成したことにより、リアスポイラー10は、スポイラー部22に空気を整流する機能と、アームレストとしての機能とを持たせることができる。
【００２１】
図５に示すように、スポイラー本体24は、下方から上方へいくに従って車両１の後方側へ傾斜する傾斜面40を車両１の前方側に設け、バックレスト25を後方へ傾倒させた状態で保持し得るように構成されている。保持部23は、上端に上連通穴41、下端に連通穴としての下連通穴42が設けられている。下連通穴42は、下方に開口してなり、リアカバー３に連通されている。
【００２２】
翼部28に形成されたスピーカ用窓31は、上面から窪んだ位置に設けられており、該スピーカ用窓31に設置されたガード部材32の上端面32Aと、翼部28の上面28Aとが面一となるように形成される。また、翼部28は、上面28Aを車両１後方側へ突出して形成した後羽根43を有し、該後羽根43の下側に保持部23の上端と挟むようにしてハイマウントストップランプ44を設ける。翼部28の下端には、保持部23の上端に設けられた前記上連通穴41に連通する貫通穴45が設けられている。
【００２３】
スピーカ26,26はスピーカ用電線46を介して、車両１の本体側に設置されたアンプに電気的に接続されている。スピーカ26,26に接続されたスピーカ用電線46は、貫通穴45と上連通穴41を通過してスポイラー本体24内を縦断し、下連通穴42を通ってアンプに接続される。
【００２４】
また、ハイマウントストップランプ44は、翼部28の後羽根43の下側であって、後羽根43の後端より凹んだ位置に設置される。このハイマウントストップランプ44は、図示しないが、複数のＬＥＤを連接して形成した一連のランプ群と、該ランプ群を覆い車両１後方へ指向したレンズとで構成される。尚、該ランプ群は車両１本体側に設置された図示しない電源ユニットにランプ用電線47で電気的に接続する。該ランプ用電線47は、前記スピーカ用電線46と同様に、スポイラー本体24を縦断し、下連通穴42を通って電源ユニットに接続される。
【００２５】
また、スポイラー本体24の下部には、水抜き穴42Aが形成されている。水抜き穴42Aは、スポイラー本体24の下部の最下点となる位置に、下方に開口するように形成されている。これにより、前記スピーカ用窓31から侵入した水を水抜き穴42Aから外部へ排出することができる。
【００２６】
また、図６に示すように、スポイラー本体24は、背面視においてＴ字状の部材で構成される。リアスポイラー10は、スポイラー本体24の車両１の幅方向の長さが、車両１の全幅長さ、すなわち左右のサイドミラー12,12間の長さより短くなるように形成されている。すなわち、リアスポイラー10は、左右一対として形成されたスポイラー部22の両側端が、サイドミラー12,12間で構成される車両１の全幅より内側となるように形成される。因みに、ハイマウントストップランプ44は、翼部28の車両１後側であって、一対のスポイラー部22,22間に直線状に配置される。
【００２７】
また、スポイラー部22は、バックレスト25より車両１の前方側へ突出した部分が、背面視において、逆三角形状をなしており、平坦な上面から下方へ向かって先細となる形状に形成されている。さらに、スポイラー部22は、バックレスト25より車両１の前方側へ突出した部分が、背面視において、内側の厚さより外側の厚さの方が薄くなる形状に形成されている。
【００２８】
次に上記構成の作用及び効果について説明する。
【００２９】
リアスポイラー10は、シート８の上方であって、パッセンジャーシート8Pに搭乗した乗員の肘の高さ程度の高さにスポイラー部22を保持することとしたことにより、車両１の表面付近に生じた乱流の影響を受けずに、確実に整流することができる。
【００３０】
また、リアスポイラー10は、スポイラー部22に肘掛面21を備えたことにより、パッセンジャーシート8Pに搭乗した乗員の肘を支えることができるので、乗員に安定感を与えることができる。また、スポイラー部22に、空気を整流する機能とアームレストとしての機能を持たせることとしたことにより、省スペース化を図ることができる。
【００３１】
また、リアスポイラー10は、クッション性を有する被覆部材36で肘掛面21を覆ったことにより、乗員が肘掛面21に肘をついた際の接触感を向上することができる。また、被覆部材36は、人工皮革で構成したことにより、接触抵抗を生じさせるので、肘掛面21についた肘のすべりを防止し、安定感を向上することができる。
【００３２】
また、リアスポイラー10は、凹となる湾曲面28Aを車両１の前方側に設け、同様の湾曲形状を有するバックレスト25を該湾曲面28Aに設けたことにより、パッセンジャーシート8Pに搭乗した乗員の腰付近を確実に保持することができ、安定感を向上することができる。
【００３３】
また、リアスポイラー10は、車両１の中央に設けた単体の保持部23でスポイラー部22を保持することとしたことにより、空気抵抗を減らすことができる。
【００３４】
また、スポイラー部22は、先端がバックレスト25より車両１前方側へ突出するように形成したことにより、バックレスト25によって生じた空気の乱流の影響を受けずに、整流することができる。
【００３５】
また、リアスポイラー10は、スポイラー本体24の車両１の幅方向の長さが、サイドミラー12,12間の長さより短くなるように形成したことにより、サイドミラー12,12間の幅が車両１の全幅長さとなるので、乗員が車両１感覚を掴みやすく操作性を向上することができる。
【００３６】
また、リアスポイラー10は、スピーカ用窓31を設け、該スピーカ用窓31内にスピーカ26,26を設置して翼部28にスピーカ26,26を内蔵したことにより、車両１後部の構成をコンパクトにまとめることができる。さらに、スポイラー本体24にスピーカ26を設けることとしたことにより、組立性を向上することができる。
【００３７】
そして、翼部28は、保持部23によりシート８の上方に保持されているから、スピーカ26を乗員に近づけることができる。従って、リアスポイラー10は、騒音下でも、楽曲を確実に乗員に伝達することができる。
【００３８】
また、リアスポイラー10は、スピーカ用窓31がバックレスト25を囲むように湾曲面28Aに連接して設けられていることにより、乗員にスピーカ26,26を近づけることができるので、効率的に楽曲などを伝えることができる。
【００３９】
また、リアスポイラー10は、スピーカ用窓31が上方に開口してなり、前記スピーカ26,26は振動板が上方に開口していることにより、パッセンジャーシート8Pに搭乗した乗員のヘルメットの開口に向け、音響指向性を持たせたので、効率的に楽曲などを伝えることができる。尚、ヘルメットが、音を通す孔を帽体の下面に備えていれば、より効率的に楽曲を乗員に提供することができる。
【００４０】
また、リアスポイラー10は、スポイラー本体24内にスピーカ用電線46及びランプ用電線47を配置したから、デザイン性を向上することができる。
【００４１】
また、リアスポイラー10は、ウーファー27をバックレスト25に内蔵したことにより、比較的口径の大きいものを収容することができるので、迫力のある低音を再生することができる。
【００４２】
また、リアスポイラー10は、従来より高い位置となる翼部28にハイマウントストップランプ44を設けたことにより、後続車両１から見やすくすることができる。
【００４３】
本発明は、本実施形態に限定されるものではなく、本発明の要旨の範囲内で種々の変形実施が可能である。例えば、本実施形態では、スポイラー本体24は、保持部23と翼部28とを別構成とし、保持部23に設けた上連通穴41と翼部28に設けた貫通穴45とで保持部23と翼部28とを連通する場合について説明したが、本発明はこれに限らず、図７に示すように、保持部23と翼部28とを一体構成としてスポイラー本体24を形成してもよい。
【００４４】
また、同図に示すように、スポイラー本体24は、ハイマウントストップランプ44の下側に車両１後方へ開口した通気口51を設けてもよい。スポイラー本体24に通気口51を設けることにより、スピーカ26,26から音圧を外部へ放出することができる。
【００４５】
また、スポイラー本体24は、ハイマウントストップランプ44の下側に通気口51を設けたことにより、翼部28の後羽根43及びハイマウントストップランプ44が屋根代わりとなるので、通気口51からの雨や埃の侵入を防ぐことができる。
【００４６】
また、本実施形態では、車両１はスクータ型自動二輪車の場合について説明したが、本発明はこれに限らず、鞍乗り型であれば、自動三輪車や自動四輪車にも適用することができる。
【００４７】
また、本実施形態では、バックレスト25をスポイラー本体24に設ける場合について説明したが、本発明はこれに限らず、バックレスト25を着脱自在に設けることとしてもよい。バックレスト25を着脱自在に設けることにより、パッセンジャーシート8Pに乗員が搭乗しない場合にバックレスト25を取り外すことで、空気抵抗を低減することができる。また、取り外したバックレスト25は、シート８下の収納ボックス内に収納することができる。
【００４８】
また、本実施形態では、スポイラー部22には、被覆部材35を設ける場合について説明したが、本発明はこれに限らず、被覆部材35を着脱自在にスポイラー部22に設けることとしてもよい。この場合、取り外した被覆部材は、シート８下の収納ボックス内に収納することができる。
【００４９】
また、本実施形態では、スピーカ26,26は翼部28に設けたスピーカ用窓31内に設置してスポイラー本体24に内蔵する場合について説明したが、本発明はこれに限らず、スピーカ26,26をスポイラー本体24と別体として設けることとしてもよい。この場合、スピーカ26,26を覆うガード部材32が翼部28上面と面一となるように形成するのが好ましい。
【００５０】
また、本実施形態では、アンプは車両１に設ける場合について説明したが、本発明はこれに限らず、スポイラー本体24内、例えば翼部28内や保持部23内に防水を施した上で設置することとしてもよい。
【００５１】
また、本実施形態では、スポイラー部22を被覆部材35で覆う場合について説明したが、本発明はこれに限らず、パッセンジャーシート8Pに搭乗した乗員が肘をつく部分、すなわちバックレスト25から前方へ突出した部分を少なくとも覆うこととしてもよい。
【００５２】
また、本実施の形態では、１本の保持部23でスポイラー部22をシート８上方に保持する場合について説明したが、本発明はこれに限らず、２本以上の保持部23でスポイラー部22を保持することとしてもよい。すなわち、車両１の左右にそれぞれ保持部23を設け、該保持部23に対応するスポイラー部22を設けることとしてもよい。
【００５３】
また、本実施の形態では、スポイラー本体24の下部に水抜き穴42Aを設ける場合について説明したが、本発明はこれに限らず、下連通穴42を水抜き穴として用いてもよい。
【図面の簡単な説明】
【００５４】
【図１】本実施形態に係る車両の全体構成を示す斜視図である。
【図２】本実施形態に係るリアスポイラーの全体構成を示す斜視図である。
【図３】同上、リアスポイラーの構成を示す平面図である。
【図４】同上、リアスポイラーの構成を示す側面図である。
【図５】同上、リアスポイラーの構成を示す縦断面図である。
【図６】同上、リアスポイラーの構成を示す背面図である。
【図７】同上、リアスポイラーの変形例を示す縦断面図である。
【図８】本実施形態に係るリアスポイラーを示す正面図である。
【図９】本実施形態に係るリアスポイラーを示す背面図である。
【図１０】本実施形態に係るリアスポイラーを示す平面図である。
【図１１】本実施形態に係るリアスポイラーを示す底面図である。
【図１２】本実施形態に係るリアスポイラーを示す左側面図である。
【図１３】本実施形態に係るリアスポイラーを示す右側面図である。
【図１４】本実施形態に係るリアスポイラーを示す斜視図である。
【符号の説明】
【００５５】
１    車両（鞍乗り型車両）
８    シート
10    リアスポイラー
21    肘掛面
22    スポイラー部
23    保持部
24    スポイラー本体
【図５】
2008168716.tif 000003
【図７】
2008168716.tif 000004
【図１】
2008168716.tif 000005
【図２】
2008168716.tif 000006
【図３】
2008168716.tif 000007
【図４】
2008168716.tif 000008
【図６】
2008168716.tif 000009
【図８】
2008168716.tif 000010
【図９】
2008168716.tif 000011
【図１０】
2008168716.tif 000012
【図１１】
2008168716.tif 000013
【図１２】
2008168716.tif 000014
【図１３】
2008168716.tif 000015
【図１４】
2008168716.tif 000016
【手続補正書】
【提出日】平成19年9月6日(2007.9.6)
【手続補正１】
【補正対象書類名】明細書
【補正対象項目名】００４２
【補正方法】変更
【補正の内容】
【００４２】
また、リアスポイラー10は、従来より高い位置となる翼部28にハイマウントストップランプ44を設けた。